(57)【特許請求の範囲】
【請求項１】
上布シートで形成される上パネルであって、前記上布シートは、上フープによって画定される平面に対して実質的に平行に延在し、前記上布シートは、前記上フープによって半径方向の張力で保持されるように前記フープにわたって延在し、前記上パネルは供給空気入口を画定する、上パネルと、
前記上パネルの下にあり、かつ前記上パネルから離間される下パネルと、
前記上パネルおよび前記下パネルに結合される外周布シートであって、前記外周布シートが、前記上パネル、前記下パネル、および前記外周布シートによって境界を定められた空気室を画定するように前記上パネルから下方に前記下パネルまで延在し、前記空気室が、前記供給空気入口と流体連通するように接続される、外周布シートと、
を備えるドロップダウンディフューザ。
【請求項２】
前記下パネルの近傍にある下フープをさらに含み、前記下フープが、前記外周布シートから吊り下げられる、請求項１に記載のドロップダウンディフューザ。
【請求項３】
前記下パネルを半径方向の張力で保持する下フープと、
前記下フープに取り付けられた複数の下スポークと、
をさらに備える、請求項１に記載のドロップダウンディフューザ。
【請求項４】
前記上フープと前記供給空気入口との間に延在する複数の上スポークをさらに含む、請求項１に記載のドロップダウンディフューザ。
【請求項５】
前記下パネルの近傍にある下フープと、
前記下フープと前記上フープとを結合する細長い圧縮部材と、
をさらに含む、請求項１に記載のドロップダウンディフューザ。
【請求項６】
前記空気室に配置される細長い引張部材と、
前記下パネルの近傍にあり、前記細長い引張部材から吊るされる下フープと、
をさらに備える、請求項１に記載のドロップダウンディフューザ。
【請求項７】
前記上パネルと金属供給空気ダクトとを結合するプラスチックアダプタと、
前記プラスチックアダプタを前記上パネルに固定する糸と、
をさらに含む、請求項１に記載のドロップダウンディフューザ。
【請求項８】
前記空気室内に配置された内部布バッフルをさらに含み、前記内部布バッフルが、前記上パネルに対して複数の位置に選択的に調整可能である、請求項１に記載のドロップダウンディフューザ。
【請求項９】
長さが調整可能な細長い引張部材をさらに含み、前記細長い引張部材が、前記内部布バッフルと前記上パネルとの間に張力で保持される、請求項８に記載のドロップダウンディフューザ。
【請求項１０】
前記内部布バッフルが空気透過性である、請求項８に記載のドロップダウンディフューザ。
【請求項１１】
前記内部布バッフルに取り付けられ、布ディスクを支持するフープをさらに含む、請求項８に記載のドロップダウンディフューザ。
【請求項１２】
前記内部布バッフルが、前記供給空気入口の方を向く頂点を有する湾曲した円錐形状を有する、請求項８に記載のドロップダウンディフューザ。
【請求項１３】
前記内部布バッフルが、前記上パネルの外周に接続されている、請求項８に記載のドロップダウンディフューザ。
【請求項１４】
前記内部布バッフルが、前記供給空気入口の外周の近傍で前記上パネルと接続されている、請求項８に記載のドロップダウンディフューザ。
【請求項１５】
供給空気入口を画定する上パネルと、
前記上パネルの下にあり、かつ前記上パネルから離間される下パネルであって、前記下パネルは下布シートで形成され、前記下布シートが半径方向の張力で保持される、下パネルと、
前記上パネルおよび前記下パネルのそれぞれの外周を完全に取り囲む外周布シートであって、前記外周布シートが、前記上パネル、前記下パネル、および前記外周布シートによって境界を定められた空気室を画定するように前記上パネルから下方に前記下パネルまで延在し、前記空気室が、前記供給空気入口と流体連通する、外周布シートと、
を備えるドロップダウンディフューザ。
【請求項１６】
前記下パネルの近傍にある下フープをさらに含み、前記下フープが、前記下パネルを半径方向の張力で保持する、請求項１５に記載のドロップダウンディフューザ。
【請求項１７】
前記下パネルを半径方向の張力で保持する下フープと、
前記下フープに取り付けられた複数の下スポークと、
をさらに備える、請求項１５に記載のドロップダウンディフューザ。
【請求項１８】
前記上パネル、前記下パネル、および前記外周布シートのうちの少なくとも１つを接合するジッパーをさらに含む、請求項１５に記載のドロップダウンディフューザ。
【請求項１９】
前記下パネルが、前記上パネルに対して垂直方向に調整可能であり得る、請求項１５に記載のドロップダウンディフューザ。
【請求項２０】
上フープによって半径方向の張力で保持される上布シートで形成される上パネルであって、供給空気入口を画定する上パネルと、
前記上フープに取り付けられた複数の上スポークと、
前記上パネルの下にあり、かつ前記上パネルから離間される下パネルであって、下フープによって半径方向の張力で保持される下布シートで形成される下パネルと、
前記下フープに取り付けられた複数の下スポークと、
空気室を画定するように前記上パネルと前記下パネルとの間に延在する外周布シートであって、前記空気室が、前記供給空気入口と流体連通する外周布シートと、
前記上パネルと前記下パネルとの間に延在する圧縮バーであって、前記外周布シートの垂直方向の張力により圧縮状態で保持される圧縮バーと、
を備えるドロップダウンディフューザ。
【請求項２１】
前記上フープが、前記下フープよりも大きい、請求項２０に記載のドロップダウンディフューザ。
【請求項２２】
前記上パネル、前記下パネル、および前記外周布シートのうちの少なくとも１つを接合するジッパーをさらに含む、請求項２０に記載のドロップダウンディフューザ。
【請求項２３】
前記上パネルと金属供給空気ダクトとを結合するプラスチックアダプタと、
前記プラスチックアダプタを前記上パネルに固定する糸と、
をさらに備える、請求項２０に記載のドロップダウンディフューザ。
【発明の詳細な説明】
【技術分野】
【０００１】
[0001]本特許は、一般にＨＶＡＣシステム（暖房、換気、および空調システム）に関し、より具体的には布製ドロップダウンディフューザに関する。
【背景技術】
【０００２】
[0002]ＨＶＡＣシステム（暖房、換気、および空調システム）は一般的に、調節された空気を建物内の１つ以上の領域を通して循環させる送風機を含む。本明細書で使用されるとき、領域に入る空気は「供給空気」と呼ばれ、出て行く空気は「戻り空気」と呼ばれる。一部のＨＶＡＣシステムは、１つ以上の吐出口から建物の選択された領域に供給空気が送られる前に、空気を加熱、冷却、除湿、加湿、濾過、および／または調節する。
【０００３】
[0003]ドロップダウンディフューザは、そのような吐出口の一例である。ドロップダウンディフューザは通常、頭上の位置に、通常は建物の天井近くに取り付けられ硬質の箱状構造を備える。供給空気ダクトは一般的に、箱状構造の上部を通して供給空気を下方に送り、ディフューザの周辺開口から供給空気は周囲の領域に放出される。
【０００４】
[0004]一部のドロップダウンディフューザは、硬質の箱状構造に取り付けられた多孔質布のシートを有する。多孔質布は、ＨＶＡＣシステムによって扱われる領域に供給空気を均一に拡散するのを助ける。このようなディフューザの一例は、米国特許出願公開第２００８／０１７６５０６号に開示されており、その全体は参照により本明細書に具体的に組み込まれる。
【図面の簡単な説明】
【０００５】
【図１】本明細書に開示されている教示に従って構成された例示的なドロップダウンディフューザの斜視図である。
【図２】図１に示されている例示的なディフューザの上面図である。
【図３】図１に示されている例示的なディフューザの正面図であり、外側の布の一部が、例示的なディフューザの内部空気室および１つ以上の例示的なフープを示すために切り取られている。
【図４】例示的なジッパーおよび１つ以上の例示的な引きひもの追加を示す、図３と同様の正面図である。
【図５】本明細書に開示されている教示に従って構成された例示的な上フープの上面図である。
【図６】本明細書に開示されている教示に従って構成された例示的な上フープ、例示的な中央フープ、および例示的なスポークの上面図である。
【図７】本明細書に開示されている教示に従って構成された例示的な上フープ、例示的な中央ハブ、および例示的なスポークの上面図である。
【図８】本明細書に開示されている教示に従って構成された例示的な上フープ、例示的な中央フープ、例示的なスポーク、および例示的なハブの上面図である。
【図９】本明細書に開示されている教示に従って構成された例示的な下フープの上面図である。
【図１０】本明細書に開示されている教示に従って構成された例示的な下フープ、例示的なハブ、および例示的なスポークの上面図である。
【図１１】本明細書に開示されている教示に従って構成された別の例示的な下フープ、例示的なハブ、および例示的なスポークの上面図である。
【図１２】複数のバッフルを有する例示的なディフューザを示す、図２と同様の上面図であり、例示的なディフューザは、本明細書に開示されている教示に従って構成されている。
【図１３】図１２に示されている例示的なディフューザの正面図であり、外側の布の一部が、例示的なディフューザの内部バッフルを示すために切り取られている。
【図１４】複数の開口を有する例示的なバッフルを示す、図１３と同様の正面図である。
【図１５】例示的な内部スクリーンを有する例示的なディフューザを示す、図３と同様の正面図である。
【図１６】垂直方向に細長い引張部材を有する例示的なディフューザを示す、図３および図４と同様の正面図であり、例示的なディフューザは、本明細書に開示されている教示に従って構成されている。
【図１７】別の形態の例示的なディフューザを示す、図１６と同様の正面図である。
【図１８】本明細書に開示されている教示に従って構成された別の例示的なディフューザを示す、図４と同様の正面図であり、例示的なディフューザは、下引きひもを有する。
【図１９】よりきつい例示的な引きひもを示す、図１８と同様の正面図である。
【図２０】本明細書に開示されている教示に従って構成された別の例示的なディフューザを示す、図４と同様の正面図であり、例示的なディフューザは、斜めの引きひもを有する。
【図２１】よりきつい例示的な引きひもを示す、図２０と同様の正面図である。
【図２２】本明細書に開示されている教示に従って形態された別の例示的なディフューザを示す、図４と同様の正面図であり、例示的なディフューザは、例示的なディフューザを歪んだ形態に保持する垂直方向に細長い圧縮部材（ｃｏｍｐｒｅｓｓｉｏｎ  ｍｅｍｂｅｒ）を有する。
【図２３】本明細書に開示されている教示に従って構成された別の例示的なディフューザを示す、図４と同様の正面図であり、例示的なディフューザは、例示的なディフューザの下パネルを湾曲した円錐の形状にする垂直方向に細長い引張部材を有する。
【図２４】よりきつい例示的な垂直方向に細長い引張部材を示す、図２３と同様の正面図である。
【図２５】本明細書に開示されている教示に従って構成された別の例示的なディフューザを示す、図４と同様の正面図であり、例示的なディフューザは、例示的なディフューザの下パネルを湾曲した円錐の形状にする垂直方向に細長い圧縮部材を有する。
【図２６】図３の丸で囲まれた領域内の例示的な接合部の拡大図である。
【図２７】本明細書に開示されている教示に従って構成された代わりの例示的な接合部を示す、図２６と同様の図である。
【図２８】本明細書に開示されている教示に従って構成された別の代わりの例示的な接合部を示す、図２６および図２７と同様の図である。
【図２９】本明細書に開示されている教示に従って構成された別の例示的なディフューザを示す、図３と同様の正面図であり、外側の布および例示的な内部バッフルの一部が、例示的なディフューザの内部特徴を示すために切り取られている。
【図３０】別の形態の例示的なディフューザを示す、図２９と同様の正面図である。
【図３１】本明細書に開示されている教示に従って構成された別の例示的なディフューザを示す、図２９と同様の正面図である。
【図３２】別の形態の例示的なディフューザを示す、図３１と同様の正面図である。
【図３３】本明細書に開示されている教示に従って構成された別の例示的なディフューザを示す、図２９および図３１と同様の正面図である。
【図３４】別の形態の例示的なディフューザを示す、図３３と同様の正面図である。
【図３５】本明細書に開示されている教示に従って構成された別の例示的なディフューザを示す、図２９、図３１、および図３３と同様の正面図である。
【図３６】別の形態の例示的なディフューザを示す、図３５と同様の正面図である。
【発明を実施するための形態】
【０００６】
[0041]ＨＶＡＣシステム（暖房、換気、および空調システム）用の例示的なドロップダウンディフューザは、１つ以上の硬質フープによって内部で支持される非多孔質および／または空気透過性の布から構成される。一部の例では、引きひもにより、上フープおよび／または下フープを覆う布パネルが締め付けられる。一部の例では、内部布バッフルが、空気流の誘導およびノイズの消音を助ける。一部の例示的なディフューザは、板金ダクトに接続するための様々な手段と、内部円錐形空気デフレクタを形成するための様々な手段とを有する。一部の例では、円錐形デフレクタは湾曲しており、その形状は調整可能である。
【０００７】
[0042]図１〜図３は、頭上の供給空気ダクト１２に取り付けられた例示的なドロップダウンディフューザ１０の様々な図を示している。一部の例では、供給空気ダクト１２は、板金製であり、略長方形形状である。同様に板金製の円筒形の分岐ダクト１４が、供給空気ダクト１２とディフューザ１０とを接続している。他の例では、ダクト１２、１４は、他の形状であり、板金以外の材料で作られる。送風機または他の何らかの空気移動手段が、空気１６を、順番に供給空気ダクト１２に通して流し、分岐ダクト１４に通して下降させ、ディフューザ１０の供給空気入口１８に通し、ディフューザ１０の空気室２０内に送る。空気室２０から、ディフューザ１０は、ディフューザ１０の周囲の部屋、領域、または他の空間に空気１６を拡散する。
【０００８】
[0043]一部の例では、ディフューザ１０は、軽量であり、空気流ノイズを消音し、送風機および／または他の機械的ノイズを消音し、均一におよび／または戦略的に空気を拡散させ、ディフューザ表面上の凝縮を低減し（例えば、最小限に抑え）、洗濯機で洗うことが可能であり、コンパクト包装および輸送のために折り畳み可能である設計のものである。図１〜図３に示されている例では、ディフューザ１０は、上パネル２２、下パネル２４、外周布シート２６、上フープ２８、下フープ３０、および上パネル２２と分岐ダクト１４とを接続するスリーブ３２を備える。一部の例では、中央フープ３４は、スリーブ３２が上パネル２２に接続される領域を補強する。図示の例では、上パネル２２は、供給空気入口１８を画定し、パネル２２、２４およびシート２６は、空気室２０を画定する。図示の例に示されているように、下フープ３０は、上フープ２８よりも小さい。結果として、外周布シート２６は、少なくとも部分的に下方を向くような角度で配置され、これにより、ディフューザ１０の周りおよび真下の空間への空気１６の分配が容易になる。
【０００９】
[0044]図示の例では、上パネル２２、下パネル２４、シート２６、およびスリーブ３２のそれぞれは、柔軟な布（例えば、ポリエステル布、スクリーンメッシュ、網など）で作られている。用途に応じて、布の１つ以上の領域は、布自体の多孔質特性および／または布に切設された多数の開口２５のいずれかによって空気透過性である。一部の例では、ディフューザ１０の大部分が、空気に対して完全に不透過性である。例えば、一部の例では、スリーブ３２、上パネル２２、および下パネル２４が、空気に対して不透過性である一方で、外周布シート２６のみが、開口２５および／または布自体の多孔性によって空気透過性である。ディフューザ１０の例は、上パネル２２、下パネル２４、シート２６、およびスリーブ３２の透過性／不透過性のすべての組み合わせを含む。
【００１０】
[0045]ディフューザ１０がたるむのを防止するのを助け、ディフューザの布が乱気流ではためくのを防止するのを助けるために、ディフューザ１０の一部の例は、上フープ２８、下フープ３０、および／または中央フープ３４を含む。フープ２８、３０、３４は、ディフューザ１０の布と比べて比較的硬い。例示的なフープ材料は、金属、ガラス繊維、プラスチックなどを含む。一部の例では、上フープ２８は、上パネル２２の上布シート３６を半径方向の張力で保持し、これにより上布シート３６を略ピンと張った状態に保つ。
【００１１】
[0046]上フープ２８を所定の位置に保持し、さらに上パネル２２の上布シート３６をピンと張った状態に保持するのを助けるために、ディフューザ１０の一部の例は、図４に示されているように上引きひも３８を含む。引きひも３８は、上フープ２８を覆って囲む、上パネル２２の外周に沿って周方向に延びる上ループの材料４０を通って延在する。一部の例では、上ループ材料４０は、上パネル２２の外周に沿って周方向に分布した一連の離間されたループに対応する。上引きひも３８を手で締めると、上布シート３６を半径方向にピンと張る締付力が加えられる。他の例では、上フープ２８に巻き付けるのではなく、上パネル２２は、それに取り付けられた１つ以上のフック（例えば、押出プラスチックフック）であって、上フープ２８に係止するために上パネル２２の外周に沿って周方向に延在する１つ以上のフックを含む。このような例では、引きひも３８を締めると、フックが上フープ２８に押し付けられ、上パネル２２にわたって半径方向の引張力が加えられ、これによりパネル２２はピンと張った状態に保たれる。
【００１２】
[0047]同様に、一部の例では、下フープ３０は、下パネル２４を半径方向の張力で保持する。下パネル２４における半径方向の張力を増大させるために、ディフューザ１０の一部の例は、図４に示されているように下引きひも４２を含む。下引きひも４２は、下フープ３０を覆って囲む、下パネル２４の外周に沿って周方向に延びるループの材料４４内に延在する。他の例では、下引きひも４２は、下パネル２２の外周に沿って周方向に分布した一連の離間されたループを通って延びる。下引きひも４２を手で締めると、下パネル２４を半径方向にピンと張る締付力が加えられる。上パネル２２、下パネル２４、および外周布シート２６は、例えばジッパー、面ファスナー、縫い付けなどによって任意の適切な方法で相互接続されてもよい。
【００１３】
[0048]図示の例では、ジッパー４６（または同等の接合部）が、引きひも３８、４２に手で接近するための手段を提供する。ジッパー４６は、フープ２８、３０の間にそれらと略平行に位置するように示されているが、ディフューザ１０の他の例は、ディフューザ１０において任意の方向および位置にあるジッパー４６を有する。例示的なジッパーの位置は、下フープ３０の近傍、上フープ２８の近傍、外周布シート２６上、上パネル２２上、および下パネル２４上を含む。したがって、開口２５は、図示の例ではジッパー４６の上方にあるように示されているが、一部の例では、開口２５は、ジッパー４６の下方にあってもよい。他の例では、ジッパー４６の位置の上方および下方の両方に開口２５があってもよい。
【００１４】
[0049]一部の例では、下フープ３０は、外周布シート２６から吊り下げられ、さらに外周布シート２６は、上フープ２８から吊り下げられる。すなわち、一部の例では、下フープ３０および／または外周布シート２６の重量は、上フープ２８によって実質的に支持される。一部の例では、下フープ２８の重量により、外周布シート２６は、下フープ３０と上フープ２８との間に延びる方向にピンと張った状態に保たれる。
【００１５】
[0050]フープ２８、３０、３４は、考えられる任意の形状およびサイズのものとすることができる。一部の例示的なフープ形状は、円形、長方形、多角形、および図５〜図１１に示されている形状を含む。図５の図示の例は、上フープ２８を円形のものとして示している。図６は、上フープ２８と中央フープ３４とを接続する複数のスポーク５０を備える例示的なフープ４８である。図７の図示の例は、上フープ２８とハブ５４との間に半径方向に延在する複数のスポーク５２を示している。ハブ５４は、垂直方向に細長い圧縮部材５６（例えば、図２２）に接続するために、または垂直方向に細長い引張部材６０（図１６、図１７、図２３、および図２４）を取り付けるための固定点５８を提供するために使用することができる。他の例では、圧縮部材５６および引張部材６０は、フープ２８、３０、３４の１つ以上および／またはスポーク５０の１つ以上の一部に取り付けられてもよい。垂直方向に細長い圧縮部材５６の例は、ロッド、シャフト、チューブ、バー、および／またはその長さに沿って圧縮力を支持および伝達することができる任意の他の部材を含む。一部の例では、圧縮力は、外周布シート２６の垂直方向の張力によって生じる。言い換えれば、圧縮部材５６は、外周布シート２６を上フープ２８と下フープ３０との間でピンと張った状態に維持するために下フープ３０の重量を超えて追加の力を加える。垂直方向に細長い引張部材６０の例は、コード、ロープ、チェーン、ワイヤ、ケーブル、ストラップ、および／またはその長さに沿って引張力を支持および伝達することができる任意の他の部材を含む。図８の図示の例は、ハブ５４および中央フープ３４と上フープ２８とを接続する複数のスポーク６２を示している。一部の例では、フープ２８、３０、３４は、１つより多くの圧縮部材５６および／または引張部材６０のための異なる取り付け点として機能する１つより多くのハブを含んでもよい。圧縮部材５６および引張部材６０は、図示の例では垂直方向に細長いものとして示され説明されているが、一部の例では、圧縮部材５６および／または引張部材６０は、非垂直方向に細長くてもよい。例えば、圧縮部材５６および／または引張部材６０は、垂直方向に対して斜めにフープ２８、３０、３４、スポーク５０、および／またはハブ５４に接続されてもよい。
【００１６】
[0051]図９の図示の例は、下フープ３０を円形のものとして示している。図１０の図示の例は、下フープ３０とハブ６６との間に半径方向に延在する複数のスポーク６４を示している。一部の例では、細長い圧縮部材５６は、図１０のハブ６６と図８のハブ５４とを接続する。図１１の図示の例は、フープ３０に対して半径方向にずれた位置にハブ６６を配置するように下フープ３０とハブ６６との間に半径方向に延在する非対称の一組のスポーク６８を示している。ハブの半径方向にずれた位置は、上フープ２８の半径方向中央のハブ５４に接続された細長い圧縮部材５６と組み合わさって、図２２に示されているように、歪んだディフューザ１０ａを形成する。図２２のディフューザ１０ａは、下フープ３０が上フープ２８と揃えられていないまたは中心合わせされていないことから歪んでいる。上フープ２８および下フープ３０の位置ずれは、ディフューザ１０の周りの異なる点で（垂直方向に対して）異なる角度を有する外周布シート２６をもたらす。一部の例では、外周布シート２６の少なくとも一部は略垂直である（例えば、図２２に示されるような、ディフューザ１０ａの右側面）。布シート２６の角度の変化は、各方向においてディフューザ１０ａの外に面する、シート２６の形状または対応する面積にも影響を及ぼす。外周シート２６の形状、角度、および／または面積の変化は、各方向においてディフューザ１０から外に拡散される空気１６の方向および量を制御するために使用され得る。
【００１７】
[0052]ディフューザ１０の他の例（例えば、ディフューザ１０ｂ〜１０ｉ）が、図１２〜図２５に示されている。図１２および図１３に示されている例では、ディフューザ１０ｂは、複数のバッフル７０（例えば５つのバッフル）を含む。バッフル７０は、ディフューザ１０ｂを通る空気１６を誘導するのを助け、バッフル７０の数量は任意とすることができる。バッフル材料の例は、布、金属、プラスチック、空気透過性シート、および不透過性シートを含む。バッフル７０が布で作られている例では、バッフル７０はまた、ノイズを消音するのを助ける。図１３に示されている例では、バッフル７０は、一層の流れ制御および／またはさらなるノイズ消音のためにスリーブ３２まで延在する。
【００１８】
[0053]図１４の図示の例は、図１２および図１３のディフューザ１０ｂと同じであるが、より低い外形のバッフル７０’に別々の空気通路スリット７２が追加されたディフューザ１０ｃを示している。より低い外形のバッフル７０’は、スリーブ３２まで延在しておらず、その結果、ディフューザ１０ｃを通る空気流の特性を変化させ、これは特定の用途では望ましい場合がある。スリット７２（または同等の開口）もまた空気流パターンを変化させる。一部の例では、図１４に示されているスリット７２は、図１２および図１３に示されているより高い外形のバッフル７０と併せて実施されてもよい。一部の例では、バッフル７０内のスリット７２（または他の開口）の数および／またはサイズは、バッフル７０のうちの異なるものでは異なっていてもよい。このようにして、ディフューザ１０ｃの外観を変化させることなく、ディフューザ１０ｃの周囲の異なる点でディフューザ１０ｃを出る空気流の差が設定されてもよい。特定の例として、ディフューザ１０ｃの一側面内のスリットの数量および／またはサイズを増大させると、ディフューザ１０ｃのその側面から出る空気流が増大する。このような配置は、ディフューザ１０ｃが、ディフューザの周囲の空調空間の内部領域と比較してより大きな空気流を有することが望ましくあり得る外壁の近くに設置されるときに有用であり得る。
【００１９】
[0054]図１５の図示の例は、供給空気入口１８の下にスクリーン７６を吊り下げるブラケット７４を有するディフューザ１０ｄを示している。スクリーン７６は、空気１６を空気室２０内により均一に分配するのを助けることができる。例示的なスクリーン材料は、ワイヤスクリーン、クロスメッシュ、布メッシュ、網、および有孔板金を含む。
【００２０】
[0055]図１６および図１７の図示の例は、細長い引張部材６０として使用される吊下コードを有するディフューザ１０ｅを示している。一部の例では、引張部材６０の上端は、上ハブ５４（図７および図８）に接続され、引張部材６０の下端は、下ハブ６６（図１０）に接続される。他の例では、引張部材６０の少なくとも１つは、スポークならびに／または関連する上フープ２８および下フープ３０に接続される。一部の例では、引張部材６０の両端は、上フープ２８（ならびに／または関連するハブおよび／もしくはスポーク）または下フープ３０（ならびに／または関連するハブおよび／もしくはスポーク）のいずれか一方に接続され、引張部材６０の中央領域は、もう一方の上フープ２８、下フープ３０、ならびに／または関連するハブおよび／もしくはスポークの周りでループされ、さらに、垂直方向に延在する引張部材６０が示されているが、一部の例では、引張部材（またはその一部）は、垂直方向に対して斜めであってもよい。一部の例では、１つより多くの引張部材６０があってもよい。一部の例では、引張部材６０の長さを手で調整することにより、フープ２８、３０の間の垂直方向の間隔が調整される。図１７の図示の例は、図１６と比較して、引張部材６０の長さを短くしたときに生じたディフューザの形状の変化を示している。このような形状の変化は、ディフューザの外観および空気流特性を変化させ、これは特定の用途では望ましい場合がある。一部の例では、ディフューザ１０ｅは、１つより多くの細長い引張部材６０を含む。一部の例では、１つ以上の引張部材６０は、下パネル２４を上パネル２２と略平行に維持するのを助ける役割を果たす。他の例では、引張部材６０は、上パネル２２に対して角度的にずれた位置に下パネル２４を維持することができる。
【００２１】
[0056]図１８および図１９の図示の例は、図４に示されている例と同様であるが、下フープ３０が省略されているディフューザ１０ｆを示している。下パネル２４をピンと張った状態に保つ下フープ３０がない場合、引きひも４２を締めることは、下パネルの直径７８を調整するための手段を提供し、したがって、ディフューザ１０ｆから吐出される空気１６のパターンおよび／または量を調整するための手段を提供する。図１９は、図１８と比較して、引きひも４２を締めたときに下パネルの直径７８に生じた変化を示している。一部のそのような例では、下パネル２４は、引きひも４２を締めるおよび緩めることに応じて直径が拡大または縮小する金属スプリットリングばね（ｍｅｔａｌ  ｓｐｌｉｔ  ｒｉｎｇ  ｓｐｒｉｎｇ）を含む。一部の例では、下パネル２４は、パネル２４の直径の関連する変化に伴って伸縮するように弾性材料で作られる。他の例では、下パネル２４は、非弾性であってもよく、直径が減少するにつれて一緒に束ねられてもよい。
【００２２】
[0057]図２０および図２１の図示の例は、図１〜図３に示されている例と同様であるが、上フープ２８と下フープ３０との間に斜めに延在する引張部材８０（例えば、コード、ロープ、チェーン、ワイヤ、ケーブル、ストラップなど）が追加されたディフューザ１０ｇを示している。引張部材８０の長さを変えることにより、上フープ２８に対する下フープ３０の歪みまたは横方向のずれの量が調整される。図２０および図２１の図示の例は、引張部材８０をきつくした結果としてのディフューザ１０ｇの歪みの変化を示している。一部の例では、ディフューザ１０ｇは、１つより多くの引張部材８０を含み、１つより多くの引張部材８０のそれぞれは、他の引張部材と同じまたは異なるきつさに調整されてもよく、これにより、ディフューザ１０ｇの形状（例えば、歪み）の制御が可能になる。このような形状の変化は、ディフューザの外観および空気流特性を変化させ、これは特定の用途では望ましい場合がある。
【００２３】
[0058]図２３および図２４の図示の例は、ディフューザ１０ｈを示し、ディフューザ１０ｈは、ディフューザ１０ｈの空気室２０内の空気１６をより半径方向外方向に誘導する目的で湾曲した円錐８２を形成するために下パネル２４の中心点を引っ張る細長い引張部材６０を使用する。図２４は、図２３と比較して、引張部材６０をきつくした結果としての、湾曲した円錐の形状の変化を示している。一部の例では、下パネル２４は空気透過性である。他の例では、下パネル２４は空気に対して不透過性である。
【００２４】
[0059]図２５の図示の例示的なディフューザ１０ｉに示されているように、同様の湾曲した円錐８４を形成することができる。この例では、細長い圧縮部材８６（例えば、チューブ、ロッド、バーなど）の下端は、下フープの中央ハブ６６（例えば、図１０のハブ６６）に取り付けられ、下パネル２４の中央部８８を押し上げて持ち上げるように上方に延在する。図示の例では、圧縮部材８６よりも大きい直径を有するディスク８５が、圧縮部材８６が下パネル２４に対して上方に加える圧力を分散させるのを助ける。一部の例では、ディスク８５はまた、入ってくる供給空気１６を半径方向外側にそらすのを助ける。一部の例では、圧縮部材８６の長さは手で調整可能である。例えば、圧縮部材８６は、チューブの穴を通って延在するばね押しボタンによって調整および所定の位置に固定することができる伸縮自在チューブを含んでもよい。
【００２５】
[0060]図２６〜図２８は、布スリーブ３２と板金分岐ダクト１４とを接続するための様々な例示的な手段を示している。図２６に示されている例では、ダクト１４は、その外周の周りに一体板金チャネル９０を有する。対合するプラスチックアダプタ９２が、布スリーブ３２の上縁９６に縫い付けられる（糸９４を参照）か、そうでなければ取り付けられる。アダプタ９２はほとんどあらゆる材料で作ることができるが、アダプタ９２の一部の例は、ＴＰＶ（熱可塑性加硫物）で作られる。なぜなら、この材料は、従来の手段によって容易に縫い付けることができるからである。図示の例では、第１の複数のセルフタッピングねじ９８がアダプタ９２をダクト１４に固定する一方で、糸９４がアダプタ９２をスリーブ３２に固定する。
【００２６】
[0061]図２７に示されている例では、第２の複数のねじ１００が、別個のチャネル１０２をダクト１４に固定し、このダクト１４は、一体チャネル９０を有するダクト１４の代替物である。このとき、図２６に示されている例と同様に、プラスチックアダプタ９２および第１の複数のねじ９８が、スリーブ３２とチャネル１０２とを接続する。図２８に示されている例では、チャネル１０４は、スリーブ３２に縫い付けられるか、そうでなければ取り付けられ、ねじ９８は、スリーブ３２およびチャネル１０４をダクト１４に固定する。
【００２７】
[0062]一部の例では、ディフューザの外形を調整するために１つ以上の引張部材６０を使用するという考え（図１６、図１７、図２３、および図２４）が、図２９〜図３６に示されているように、ディフューザの内部バッフルアセンブリの形状を調整することに適用される。図２９および図３０に示されている例では、ディフューザ１０ｊは、内部布バッフル１０６を囲む外周布シート２６を含む。図示の例では、内部布バッフル１０６は、供給空気入口１８の周囲または外周に沿ってスリーブ３２および／または上パネル２２にジッパーで固定されるか、そうでなければ取り付けられる略円形の上縁１０８を有する。内部バッフル１０６は、一部の例では、空気１６を通過させる布メッシュである。図示の例では、引張部材６０の下端は、内部バッフル１０６に接続された円形ベース１１０に取り付けられている。円形ベース１１０の例は、フープ、金属スクリーンディスク、布メッシュ、および空気に対して不透過性であるディスクを含む。上縁１０８およびベース１１０は、任意の形状とすることができ、必ずしも円形でなくてもよい。
【００２８】
[0063]引張部材６０の長さを手で調整することにより、上フープ２８とベース１１０との間の垂直方向の間隔が調整される。図３０の図示の例は、図２９と比較して、引張部材６０の長さを短くしたときに生じた内部バッフルアセンブリの形状の変化を示している。内部バッフルアセンブリの形状のこのような変化は、ディフューザ１０ｊの空気流特性を変化させることができ、一般にディフューザの外観を変化させることなくそうすることができ、これは特定の用途では望ましい場合ある。
【００２９】
[0064]図３１および図３２に示されている例では、ディフューザ１０ｋは、内部布バッフル１１２を囲む外周布シート２６を含む。図示の例では、内部布バッフル１１２は、上パネル２２の外周にジッパーで固定されるか、そうでなければ取り付けられる略円形の上縁１１３を有する。内部バッフル１１２は、一部の例では、空気１６を通過させる布メッシュである。図示の例では、引張部材６０の下端はベース１１０に取り付けられる。
【００３０】
[0065]引張部材６０の長さを手で調整することにより、上パネル２２とベース１１０との間の垂直方向の間隔が調整される。図３２の図示の例は、図３１と比較して、引張部材６０の長さを短くしたときに生じた内部布バッフル１１２の形状の変化を示している。このような形状の変化は、ディフューザ１０ｋの空気流特性を変化させることができ、一般にディフューザの外観を変化させることなくそうすることができ、これは特定の用途では望ましい場合ある。
【００３１】
[0066]図３３および図３４の図示の例に示されているディフューザ１０ｍは、図３１および図３２のディフューザ１０ｋと同様であるが、ディフューザ１０ｍの内部布バッフル１１５が、布ディスク１１８（多孔質または非多孔質布）を支持するフープ１１６を有するベース１１４を備える。細長い部材６０の張力により、布ディスク１１８の中心点１２０は、供給空気入口１８の方を向く頂点１２２を有する湾曲した円錐形状を形成するように引っ張られる。布ディスク１１８の湾曲した円錐形状は、図２３および図２４の湾曲した円錐８２と同様の空気案内機能を提供する。
【００３２】
[0067]引張部材６０の長さを手で調整することにより、上パネル２２とベース１１４との間の垂直方向の間隔が調整される。図３４の図示の例は、図３３と比較して、引張部材６０の長さを短くしたときに生じた内部布バッフル１１５の形状の変化を示している。内部バッフルの形状のこのような変化は、ディフューザ１０ｍの空気流特性を変化させることができ、一般にディフューザの外観を変化させることなくそうすることができ、これは特定の用途では望ましい場合ある。
【００３３】
[0068]図３５および図３６の図示の例に示されているディフューザ１０ｎは、ディフューザ１０ｍと同様であるが、ディフューザ１０ｎのベース１２４は、布ディスク１１８を支持するためのフープ１１６を有さない。代わりに、細長い部材６０は、空気透過性の内部布バッフル１２８の中心点１２６を引っ張る。内部バッフル１２８の上部外周１３０は、上パネル２２の外周にジッパーで固定されるか、そうでなければ取り付けられる。細長い部材６０の張力により、内部バッフル１２８の中心点１２６は、湾曲した円錐形状を形成するように引っ張られる。内部バッフル１２８の湾曲した円錐形状は、図２３および図２４の湾曲した円錐８２と同様の空気案内機能を提供する。
【００３４】
[0069]引張部材６０の長さを手で調整することにより、上パネル２２と中心点１２６との間の垂直方向の間隔が調整される。図３６の図示の例は、図３５と比較して、引張部材６０の長さを短くしたときに生じた内部バッフル１２８の形状の変化を示している。内部バッフルの形状のこのような変化は、ディフューザ１０ｎの空気流特性を変化させることができ、一般にディフューザの外観を変化させることなくそうすることができ、これは特定の用途では望ましい場合ある。図２９〜図３６に示されている例のそれぞれにおいて、内部布バッフル１０６、１１２、１１５、１２８は、細長い部材６０の長さを単に調整することによって複数の位置に選択的に調整可能である。
【００３５】
[0070]特定の例示的な方法、装置、および製造品を本明細書で説明してきたが、本特許の対象範囲はそれらに限定されない。それどころか、本特許は、文字通りにまたは均等論の下で添付の特許請求の範囲の範囲内に公正に含まれるすべての方法、装置、および製造品を含む。
【図１】
0006881860.tif 000002
【図２】
0006881860.tif 000003
【図３】
0006881860.tif 000004
【図４】
0006881860.tif 000005
【図５】
0006881860.tif 000006
【図６】
0006881860.tif 000007
【図７】
0006881860.tif 000008
【図８】
0006881860.tif 000009
【図９】
0006881860.tif 000010
【図１０】
0006881860.tif 000011
【図１１】
0006881860.tif 000012
【図１２】
0006881860.tif 000013
【図１３】
0006881860.tif 000014
【図１４】
0006881860.tif 000015
【図１５】
0006881860.tif 000016
【図１６】
0006881860.tif 000017
【図１７】
0006881860.tif 000018
【図１８】
0006881860.tif 000019
【図１９】
0006881860.tif 000020
【図２０】
0006881860.tif 000021
【図２１】
0006881860.tif 000022
【図２２】
0006881860.tif 000023
【図２３】
0006881860.tif 000024
【図２４】
0006881860.tif 000025
【図２５】
0006881860.tif 000026
【図２６】
0006881860.tif 000027
【図２７】
0006881860.tif 000028
【図２８】
0006881860.tif 000029
【図２９】
0006881860.tif 000030
【図３０】
0006881860.tif 000031
【図３１】
0006881860.tif 000032
【図３２】
0006881860.tif 000033
【図３３】
0006881860.tif 000034
【図３４】
0006881860.tif 000035
【図３５】
0006881860.tif 000036
【図３６】
0006881860.tif 000037